【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
イメージングゾーン内でＢ０磁場を生成するための主磁石と、前記イメージングゾーンから磁気共鳴データを取得するための無線周波数システムとを備える磁気共鳴イメージングシステムであって、
前記無線周波数システムは、前記磁気共鳴データを取得するために無線周波数信号を送信及び受信し、前記無線周波数システムは、
前記イメージングゾーン内にＢ１＋励起場を生成するための楕円形伝送コイルと、
前記イメージングゾーン内に配置されるアクティブＢ１シムコイルであって、前記無線周波数システムが、前記楕円形伝送コイルによる前記Ｂ１＋励起場の前記生成中に前記アクティブＢ１シムコイルに無線周波数電力を供給し、前記アクティブＢ１シムコイルが、前記イメージングゾーン内で前記Ｂ１＋励起場をシミングする、アクティブＢ１シムコイルと、
伝送チャネルを介して前記楕円形伝送コイルに無線周波数電力を供給するためのトランシーバと、
前記アクティブＢ１シムコイルに無線周波数電力を供給するための、前記伝送チャネルに接続されている無線周波数結合器と
を備え、
前記楕円形伝送コイルが１つ又は複数の入力ポートを備え、前記１つ又は複数の入力ポートの各々が、前記無線周波数結合器を介して前記トランシーバに接続され、前記無線周波数結合器が、前記アクティブＢ１シムコイルに供給される前記無線周波数電力の振幅及び位相のうちの少なくとも１つを調整するためのチューニング要素を介して、前記アクティブＢ１シムコイルに前記無線周波数電力の一部を転用する、磁気共鳴イメージングシステム。
【請求項２】
前記無線周波数システムが、局所受信コイルのための接続をさらに備え、前記アクティブＢ１シムコイルが、前記アクティブＢ１シムコイルをチューニング状態と非チューニング状態との間で切り替えるためのチューニング回路を備え、
前記磁気共鳴イメージングシステムは、
機械実行可能命令を記憶するためのメモリと、
前記磁気共鳴イメージングシステムを制御するためのプロセッサであって、前記機械実行可能命令の実行が、前記プロセッサに、前記磁気共鳴データの取得中に前記楕円形伝送コイルが前記Ｂ１＋励起場を生成しているときに、前記アクティブＢ１シムコイルを前記チューニング状態にするように前記チューニング回路を制御させ、前記機械実行可能命令の実行がさらに、前記プロセッサに、前記局所受信コイルのための前記接続が、前記磁気共鳴データの取得中に前記無線周波数信号を受信するように構成されているときに、前記アクティブＢ１シムコイルを前記非チューニング状態にするように前記チューニング回路を制御させる、プロセッサと
をさらに備える、請求項１に記載の磁気共鳴イメージングシステム。
【請求項３】
前記メモリが、磁気共鳴イメージングプロトコルに従って前記磁気共鳴データを取得するためのパルスシーケンスコマンドをさらに含み、前記機械実行可能命令の実行がさらに、前記プロセッサに、前記磁気共鳴データを取得するために前記パルスシーケンスコマンドを用いて前記磁気共鳴イメージングシステムを制御させる、請求項２に記載の磁気共鳴イメージングシステム。
【請求項４】
前記無線周波数システムが、前記アクティブＢ１シムコイルに供給される前記無線周波数電力の量及び／又は位相を調整する、請求項２に記載の磁気共鳴イメージングシステム。
【請求項５】
前記アクティブＢ１シムコイルが磁場センサを備え、前記機械実行可能命令の実行がさらに、前記プロセッサに、
前記楕円形伝送コイルを使用して試験Ｂ１磁場を生成するように前記磁気共鳴イメージングシステムを制御させ、
前記磁場センサを用いて前記試験Ｂ１磁場の前記生成中に磁場強度を測定させ、
前記磁場強度を使用してアクティブＢ１シムコイル較正を計算させ、前記無線周波数システムが、前記アクティブＢ１シムコイル較正を使用して、前記アクティブＢ１シムコイルに供給される無線周波数電力の量を調整する、請求項４に記載の磁気共鳴イメージングシステム。
【請求項６】
前記磁場センサが、少なくとも部分的に前記アクティブＢ１シムコイルから形成される、請求項５に記載の磁気共鳴イメージングシステム。
【請求項７】
前記アクティブＢ１シムコイルが、ループコイル、８の字コイル、ダイポールアンテナ、折り返しダイポールアンテナ、及びヘリカルダイポールアンテナのうちのいずれか１つである、請求項１に記載の磁気共鳴イメージングシステム。
【請求項８】
前記アクティブＢ１シムコイルが、前記イメージングゾーンの中央領域に位置する、請求項１に記載の磁気共鳴イメージングシステム。
【請求項９】
前記アクティブＢ１シムコイルが、前記楕円形伝送コイル内に位置する、対象者マットレス内に位置する、対象者衣類内に位置する、及び、対象者支持手段内に位置する、のうちのいずれか１つである、請求項１に記載の磁気共鳴イメージングシステム。
【請求項１０】
前記アクティブＢ１シムコイルの主寸法又は最長寸法が、前記Ｂ０磁場の磁力線と整列される、請求項１に記載の磁気共鳴イメージングシステム。
【請求項１１】
前記楕円形伝送コイルが、全身用コイル、頭部用コイル、円筒伝送コイル、バードケージコイル、全身用コイルのｚセグメント化複合体、及び横電磁（ＴＥＭ）コイルのうちのいずれか１つである、請求項１に記載の磁気共鳴イメージングシステム。
【請求項１２】
前記磁気共鳴イメージングシステムが、
好ましくは前記イメージングゾーン内の関心領域と前記アクティブＢ１シムコイルとの間に位置し、さらに好ましくは前記イメージングゾーンの関心領域に面する前記アクティブＢ１シムコイルの側面に隣接して位置する、前記イメージングゾーン内で前記Ｂ１＋励起場をさらにシミングするための１つ又は複数の共鳴結合コイル、及び
前記イメージングゾーン内で前記Ｂ１＋励起場をさらにシミングするための１つ又は複数の誘電体パッド、
のうちの少なくとも１つをさらに備える、請求項１に記載の磁気共鳴イメージングシステム。
【請求項１３】
イメージングゾーン内でＢ０磁場を生成するための主磁石と、前記イメージングゾーンから磁気共鳴データを取得するための無線周波数システムとを備える磁気共鳴イメージングシステムであって、
前記無線周波数システムは、前記磁気共鳴データを取得するために無線周波数信号を送信及び受信し、前記無線周波数システムは、
前記イメージングゾーン内にＢ１＋励起場を生成するための楕円形伝送コイルと、
前記イメージングゾーン内に配置されるアクティブＢ１シムコイルであって、前記無線周波数システムが、前記楕円形伝送コイルによる前記Ｂ１＋励起場の前記生成中に前記アクティブＢ１シムコイルに無線周波数電力を供給し、前記アクティブＢ１シムコイルが、前記イメージングゾーン内で前記Ｂ１＋励起場をシミングし、前記アクティブＢ１シムコイルが、前記アクティブＢ１シムコイルをチューニング状態と非チューニング状態との間で切り替えるためのチューニング回路を備える、アクティブＢ１シムコイルと、
伝送チャネルを介して前記楕円形伝送コイルに無線周波数電力を供給するためのトランシーバと、
前記アクティブＢ１シムコイルに無線周波数電力を供給するための、前記伝送チャネルに接続されている無線周波数結合器と
局所受信コイルのための接続と、
を備え、
前記楕円形伝送コイルが１つ又は複数の入力ポートを備え、前記１つ又は複数の入力ポートの各々が、前記無線周波数結合器を介して前記トランシーバに接続され、前記無線周波数結合器が、前記アクティブＢ１シムコイルに供給される前記無線周波数電力の振幅及び位相のうちの少なくとも１つを調整するためのチューニング要素を介して、前記アクティブＢ１シムコイルに前記無線周波数電力の一部を転用する、
磁気共鳴イメージングシステムを提供するステップと、
前記磁気共鳴データの取得中に前記楕円形伝送コイルが前記アクティブＢ１＋励起場を生成しているときに、前記アクティブＢ１シムコイルを前記チューニング状態にするように前記チューニング回路を制御するステップと、
前記局所受信コイルのための前記接続が、前記磁気共鳴データの取得中に前記無線周波数信号を受信するように構成されているときに、前記アクティブＢ１シムコイルを前記非チューニング状態にするように前記チューニング回路を制御するステップと、
を有する、方法。
【請求項１４】
前記方法は、前記磁気共鳴データを取得するためにパルスシーケンスコマンドを用いて前記磁気共鳴イメージングシステムを制御するステップをさらに有し、前記パルスシーケンスコマンドは、磁気共鳴イメージングプロトコルに従って前記磁気共鳴データを取得するように構成される、請求項１３に記載の方法。
【請求項１５】
前記アクティブＢ１シムコイルに供給される前記無線周波数電力の量及び／又は位相を調整するステップをさらに有する、請求項１３に記載の方法。
【請求項１６】
前記アクティブＢ１シムコイルが磁場センサを備え、前記方法は、
前記楕円形伝送コイルを使用して試験Ｂ１磁場を生成するように前記磁気共鳴イメージングシステムを制御するステップと、
前記磁場センサを用いて前記試験Ｂ１磁場の前記生成中に磁場強度を測定するステップと、
前記磁場強度を使用してアクティブＢ１シムコイル較正を計算するステップであって、前記無線周波数システムが、前記アクティブＢ１シムコイル較正を使用して、前記アクティブＢ１シムコイルに供給される無線周波数電力の量を調整する、計算するステップと、
をさらに有する、請求項１５に記載の方法。
【請求項１７】
前記磁気共鳴イメージングシステムを提供するステップは、前記磁場センサを、少なくとも部分的に前記アクティブＢ１シムコイルから形成するステップを含む、請求項１６に記載の方法。
【請求項１８】
前記磁気共鳴イメージングシステムを提供するステップは、ループコイル、８の字コイル、ダイポールアンテナ、折り返しダイポールアンテナ、及びヘリカルダイポールアンテナのうちのいずれか１つである前記アクティブＢ１シムコイルを提供するステップを含む、請求項１３に記載の方法。
【請求項１９】
前記磁気共鳴イメージングシステムを提供するステップは、前記イメージングゾーンの中央領域に前記アクティブＢ１シムコイルを配置するステップを含む、請求項１３に記載の方法。